(57)【要約】  エレベータのドアパネルにおいて、表板（５）と、断熱部材（１０）と、固定部材（１５，１５）と、縦補強板（２０）と、を備え、表板（５）の上下端と両側端を、裏面（６）側にＵ字状に折り曲げて、４つの折り曲げ部（５ａ〜５ｄ）を形成し、表板（５）の裏面（６）において、裏面（６）との間に空間を形成した状態で、縦補強板（２０）を、２つの鍔部（２１，２１）により、折り曲げ部（５ａ，５ｂ）に接続し、断熱部材（１０）を、縦補強板（２０）と裏面（６）との間に形成された空間に配置して、固定部材（１５，１５）により固定する。
2018011921.tif 000002
【特許請求の範囲】
【請求項１】
表板と、
断熱部材と、
補強部材と、を備え、
前記補強部材は、前記表板の裏面との間に空間を形成して、前記表板の周縁部に接続され、
前記断熱部材は、前記補強部材と、前記裏面との間に形成された前記空間において、前記裏面に当接して固定される、エレベータのドアパネル。
【請求項２】
前記表板の前記周縁部は、端部を前記表板の裏面の方向に折り曲げた、複数の折り曲げ部を有し、
前記断熱部材は、前記表板の前記裏面において、前記複数の折り曲げ部の内側に配置され、
前記補強部材は、前記複数の折り曲げ部に接続される、請求項１に記載のエレベータのドアパネル。
【請求項３】
前記断熱部材を取り付ける固定部材を有し、
前記固定部材は、前記表板の前記裏面において、前記断熱部材を前記裏面に当接させて保持する部位と、
前記折り曲げ部に固定される部位と、を有する、請求項２に記載のエレベータのドアパネル。
【請求項４】
前記断熱部材を取り付ける固定部材を有し、
前記固定部材は、前記表板の前記裏面において、前記断熱部材を前記裏面に当接させて保持する部位と、
前記表板の前記周縁部に固定される部位と、を有する、請求項１に記載のエレベータのドアパネル。
【請求項５】
前記固定部材は、前記表板に固定された状態の水平方向の断面において、Ｌ字を形成する第１の板状部及び第２の板状部と、
前記断面において、前記第１の板状部の端部から中央側に一定距離、離間した位置に一端側が固定され、他端側が、前記断面において、前記第２の板状部の延出方向と反対方向であって、前記第１の板状部に対し垂直な方向に延出する第３の板状部と、を備え、
前記固定部材は、
前記第１の板状部と前記第３の板状部により、前記断熱部材の端部を保持し、
前記第２の板状部により、前記表板に固定される、請求項３または４に記載のエレベータのドアパネル。
【請求項６】
前記固定部材を複数備え、
複数の前記固定部材の一つは、前記断熱部材の一端側を保持し、
複数の前記固定部材の他の一つは、前記断熱部材の他端側を保持する、請求項３から５のいずれか１項に記載のに記載のエレベータのドアパネル。
【請求項７】
前記補強部材は、水平面における断面が、凸部と複数の鍔部を有する形状に形成される、
前記補強部材は、前記複数の鍔部により、前記表板の前記周縁部に固定される、
請求項１から６のいずれか１項に記載のエレベータのドアパネル。
【請求項８】
前記凸部の頂部は、前記断熱部材を押圧して、前記断熱部材を前記裏面に当接させる、請求項７に記載のエレベータのドアパネル。
【請求項９】
複数の前記凸部を有する、請求項７または８に記載のエレベータのドアパネル。
【発明の詳細な説明】
【技術分野】
【０００１】
この発明は、エレベータのドアパネルに関するものである。
【背景技術】
【０００２】
従来より、火災等による熱がエレベータのドアパネルから昇降路側に伝達されるのを防止するため、補強部材を含むドアパネルに断熱パネルを付加するもの（例えば特許文献１参照）が提案されている。
【先行技術文献】
【特許文献】
【０００３】
【特許文献１】特許第２５０２１８２号公報
【発明の概要】
【発明が解決しようとする課題】
【０００４】
しかしながら、特許文献１に記載の乗場ドア装置は、化粧板が設けられた断熱パネルを、取付金具とボルトを介して戸本体と結合しているため、ドアの厚みが大きく、重量が重くなってしまう。さらに、戸本体の内部に設けられた縦補強材を、戸本体の表板に接触させて固定しているので、断熱パネルの取付金具やボルトを介して、化粧板の熱が縦補強材に伝わりやすい構造となっている。このため、特許文献１では、縦補強材と戸本体の裏板との間に、断熱シートを挿入し、また、裏板の、縦補強材が設けられている周辺に、さらに断熱シートとカバーを取付けるなど、多くの部品を介在させて、裏板の周辺に化粧板側の熱が伝わるのを防止している。【０００５】
この発明は、上記のような課題を解決するためになされたものであり、少ない部品点数で、表板の熱が補強部材に伝わりにくい、断熱性と剛性を備えたドアパネルを得ることができる。
【課題を解決するための手段】
【０００６】
この発明に係るエレベータのドアパネルは、表板と、断熱部材と、補強部材と、を備え、補強部材を、表板の裏面との間に空間を形成した状態で、表板の周縁部に接続し、断熱部材を、補強部材と表板の裏面との間に形成された空間において、裏面に当接させて固定するものである。
【発明の効果】
【０００７】
この発明に係るエレベータのドアパネルによれば、少ない部品点数で、表板の熱を、補強部材に伝わりにくくすることができ、断熱性と剛性を備えたドアパネルを得ることができる。
【図面の簡単な説明】
【０００８】
【図１】この発明の実施の形態１におけるドアパネルを備えたエレベータの乗場ドア装置の概略構成を示す図である。
【図２】図１の乗場ドア装置における、ドアパネルを示す図である。
【図３】図２のＩＩＩ−ＩＩＩ線に沿うドアパネルを示す断面図である。
【図４】図２のＩＶ−ＩＶ線に沿うドアパネルを示す断面図である。
【図５】図４に示した固定部材の斜視図である。
【図６】この発明の実施の形態２における、ドアパネルを示す図である。
【図７】図６のＶＩＩ−ＶＩＩ線に沿うドアパネルを示す断面図である。
【発明を実施するための形態】
【０００９】
以下、本発明のエレベータのドアパネルの好適な実施の形態につき、図１〜７を用いて説明する。
【００１０】
実施の形態１．
図１は、本発明の実施の形態１におけるドアパネル２を備えた、エレベータの乗場ドア装置を、昇降路側から見た概略図である。また、図２は、図１の乗場ドア装置における、ドアパネルを示す図、図３は、図２のＩＩＩ−ＩＩＩ線に沿うドアパネルの断面図、図４は、図２のＩＶ−ＩＶ線に沿うドアパネルの断面図、図５は固定部材１５の斜視図である。
【００１１】
図１に示すように、ドアパネル２は、乗場ドア装置１に対し、ドアパネル２に設けられた縦補強板２０に一端側が固定されたリンク機構４を介して取り付けられている。また、図２から図４に示すように、ドアパネル２は、乗場側に表面が露出するように配置される表板５と、断熱部材１０と、固定部材１５と、縦補強板２０と、裏板７と、により形成されている。
【００１２】
図２から４に示すように、表板５は、上下端及び両側端が、裏面６の方向にＵ字状に折り曲げられた、４つの折り曲げ部５ａ〜５ｄを有している。表板５は、これら４つの折り曲げ部５ａ〜５ｄと裏面６により箱形に成形され、４つの折り曲げ部５ａ〜５ｄの端部は、箱形の開口部８を形成する。この開口部８から断熱部材１０が挿入され、２つの固定部材１５，１５により、裏面６に接触した状態で保持される。また、表板５の裏面６側の上下の折り曲げ部５ａ及び５ｂには、さらに補強板４０及び５０が、リベット等により固定されている。
【００１３】
図４の断面図及び図５の斜視図に示すように、２つの固定部材１５，１５は、それぞれ、図４の断面図においてＬ字を形成する第１の板状部１５ａ及び第２の板状部１５ｂを有する。そして、第１の板状部１５ａの端部から中央側に一定距離、離間した位置に一端側が溶接等により固定され、他端側が、第２の板状部１５ｂの延出方向と反対方向であって、第１の板状部１５ａに対し垂直な方向に延出する第３の板状部１５ｃを有している。
【００１４】
図４に示すように、２つの固定部材１５，１５は、それぞれ第１の板状部１５ａにより、断熱部材１０の水平方向への移動を規制する。また、第３の板状部１５ｃは、断熱部材１０を表板５の裏面６に当接させるように保持する。そして、２つの固定部材１５，１５は、第２の板状部１５ｂにより、表板５の両側端が形成する折り曲げ部５ｃと５ｄに、リベット等を用いて固定される。
【００１５】
図１に示すように、縦補強板２０は、ドアパネル２の中央付近に設置され、ドアパネル２の剛性を高めるとともに、ドアパネル２を移動させるリンク機構４の支持部を構成している。また、図４に示すように、縦補強板２０は、ドアパネル２に設置された状態における水平方向の断面形状が、凸部と２つの鍔部２１，２１とを有するハット状に形成されている。
【００１６】
図２から４に示すように、縦補強板２０は、表板５の裏面６において、裏面６との間に空間を形成した状態で、２つの鍔部２１，２１により、表板５の折り曲げ部５ａ及び５ｂに、リベット等を用いて接続される。そして、この縦補強板２０と裏面６との間に形成された空間に、断熱部材１０を収容する。
【００１７】
また、図２から４に示すように、鍔部２１の表板５と反対側の面には、裏板７が取り付けられており、裏板７には、図１に示したリンク機構４の支持部が設けられる。
【００１８】
このようなエレベータのドアパネル２によれば、表板５の上下端と両側端を、表板５の裏面６の方向にＵ字状に折り曲げて、４つの折り曲げ部５ａ〜５ｄを形成し、断熱部材１０を、４つの折り曲げ部５ａ〜５ｄの端部により形成される開口部８から挿入して裏面６に配置する。そして、２つの固定部材１５，１５により、表板５の裏面６において、断熱部材１０を裏面６に当接させて保持するとともに、表板５の両側端が形成する、２つの折り曲げ部５ｃ，５ｄにそれぞれ固定する。また、縦補強板２０を、ドアパネル２に設置された状態における水平方向の断面形状が、凸部と２つの鍔部２１，２１とを有するハット状に形成する。そして、縦補強板２０を、表板５の裏面６において、裏面６との間に空間を形成した状態で、２つの鍔部２１，２１により、折り曲げ部５ａ及び５ｂに接続する。そして、この縦補強板２０と裏面６との間に形成された空間に、断熱部材１０を収容する。
【００１９】
これにより、断熱シートやカバーを介在させることなく、表板５の熱を、縦補強板２０に伝わりにくくすることができるので、縦補強板２０に取り付けられたリンク機構４が熱変形して、乗場ドアの開閉に不具合が生じることを防止できる。
【００２０】
なお、実施の形態１では、縦補強板２０を、２つの鍔部２１，２１により、表板５の折り曲げ部５ａ、５ｂに固定したが、これに限るものではない。例えば、２つの鍔部２１，２１を、表板５の裏面６側の上下に取り付けられた、上下の補強板４０及び５０に固定してもよい。また、実施の形態１では、裏板７の幅を、縦補強板２０の幅とほぼ同一にしているが、ドアパネル２と同一の幅としてもよい。さらに、裏板７をなくして、リンク機構４の支持部を縦補強板２０に設けてもよい。
【００２１】
実施の形態２．
図６は、本発明の実施の形態２におけるドアパネル３を示す図、図７は、図６のＶＩＩ−ＶＩＩ線に沿うドアパネル３の断面図である。図６及び７に示すように、ドアパネル３は、表板５と、断熱部材１０及び縦補強板３０を備えており、図７に示すように、ドアパネル３には、固定部材１５、および裏板７が備えられていない。また、表板５の折り曲げ部５ａ〜５ｄの構成は、実施の形態１と同様である。
【００２２】
縦補強板３０は、水平面における断面が、複数の凸部と２つの鍔部３１，３１とを有する形状に形成されている。そして、縦補強板３０は、表板５の裏面６において、表板５の裏面６との間に空間を形成した状態で、２つの鍔部３１，３１により、表板５の折り曲げ部５ｃ及び５ｄにそれぞれリベット等を用いて接続される。この縦補強板３０と裏面６との間に形成された空間に、断熱部材１０を収容する。断熱部材１０は、この空間において、縦補強板３０に設けられた複数の凸部の頂部３２により押圧され、表板５の裏面６に当接するように保持される。
【００２３】
このようなエレベータのドアパネル３によれば、縦補強板３０を、表板５の裏面６において、裏面６との間に空間を形成して折り曲げ部５ｃ、５ｄに固定する。そして、この空間に断熱部材１０を収容し、縦補強板３０に設けられた複数の凸部の頂部３２により、断熱部材１０を押圧、保持する。これにより、断熱シートやカバーを介在させることなく、表板５の熱が、縦補強板２０に伝わりにくくすることができる。よって、縦補強板２０に取り付けられたリンク機構４が熱変形して、乗場ドアの開閉に不具合が生じることを防止できる。さらに、固定部材１５を用いることなく断熱部材１０を保持するので、少ない部品点数で、ドアパネル３に断熱性と剛性を備えることができる。
【００２４】
なお、図７の断面図において、縦補強板３０の凸部は直線で形成されているが、これに限るものではない。例えば、凸部が半円状に形成されていてもよいし、縦補強板３０の鍔部３１を除く部位全体が、波板状に形成されていてもよい。また、図６では、縦補強板３０の高さを、ドアパネル３の、上端の折り曲げ部５ａから下端の折り曲げ部５ｂまでとしているが、これに限るものではない。例えば、高さを低くして、断熱部材１０の上部と下部及び中間を押圧するように、複数枚設けてもよい。さらに、実施の形態２では、２つの鍔部３１，３１を、表板５の両側端が形成する、２つの折り曲げ部５ｃ及び５ｄにそれぞれ固定したが、これに限るものではない。例えば、表板５の上下端が形成する、２つの折り曲げ部５ａ及び５ｂに固定してもよいし、表板５の裏面６側の上下に設けられた補強板４０及び５０に固定してもよい。
【符号の説明】
【００２５】
１  乗場ドア装置、２〜３  ドアパネル、４  リンク機構、５  表板、５ａ〜５ｄ  折り曲げ部、６  裏面、７  裏板、８  開口部、１０  断熱部材、１５  固定部材、１５ａ  第１の板状部、１５ｂ  第２の板状部、１５ｃ  第３の板状部、２０，３０  縦補強板（補強部材）、２１，３１  鍔部、３２  頂部。
【図１】
2018011921.tif 000003
【図２】
2018011921.tif 000004
【図３】
2018011921.tif 000005
【図４】
2018011921.tif 000006
【図５】
2018011921.tif 000007
【図６】
2018011921.tif 000008
【図７】
2018011921.tif 000009
【手続補正書】
【提出日】平成29年11月14日(2017.11.14)
【手続補正１】
【補正対象書類名】特許請求の範囲
【補正対象項目名】全文
【補正方法】変更
【補正の内容】
【特許請求の範囲】
【請求項１】
表板と、
断熱部材と、
補強部材と、を備え、
前記補強部材は、前記表板の裏面との間に空間を形成して、前記表板の周縁部に接続され、
前記断熱部材は、前記空間において、前記補強部材との間に、前記空間の一部を形成した状態で、前記裏面に当接して固定される、エレベータのドアパネル。
【請求項２】
前記断熱部材は、前記補強部材と互いに接触しない状態で、前記裏面に固定される、
請求項１に記載のエレベータのドアパネル。
【請求項３】
前記補強部材は、水平面における断面が、凸部と複数の鍔部を有する形状に形成され、
前記補強部材は、前記複数の鍔部により、前記表板の前記周縁部に固定され、
前記凸部の頂部は、前記断熱部材を押圧して、前記断熱部材を前記裏面に当接させる、
請求項１に記載のエレベータのドアパネル。
【請求項４】
複数の前記凸部を有する、請求項３に記載のエレベータのドアパネル。
【請求項５】
前記表板の前記周縁部は、端部を前記表板の裏面の方向に折り曲げた、複数の折り曲げ１部を有し、
前記断熱部材は、前記表板の前記裏面において、前記複数の折り曲げ部の内側に配置され、
前記補強部材は、前記複数の折り曲げ部に接続される、請求項１に記載のエレベータのドアパネル。
【請求項６】
前記断熱部材を取り付ける固定部材を有し、
前記固定部材は、前記表板の前記裏面において、前記断熱部材を前記裏面に当接させて保持する部位と、
前記折り曲げ部に固定される部位と、を有する、請求項５に記載のエレベータのドアパネル。
【請求項７】
前記断熱部材を取り付ける固定部材を有し、
前記固定部材は、前記表板の前記裏面において、前記断熱部材を前記裏面に当接させて保持する部位と、
前記表板の前記周縁部に固定される部位と、を有する、請求項１に記載のエレベータのドアパネル。
【請求項８】
前記固定部材は、前記表板に固定された状態の水平方向の断面において、Ｌ字を形成する第１の板状部及び第２の板状部と、
前記断面において、前記第１の板状部の端部から中央側に一定距離、離間した位置に一端側が固定され、他端側が、前記断面において、前記第２の板状部の延出方向と反対方向であって、前記第１の板状部に対し垂直な方向に延出する第３の板状部と、を備え、
前記固定部材は、
前記第１の板状部と前記第３の板状部により、前記断熱部材の端部を保持し、
前記第２の板状部により、前記表板に固定される、請求項６または７に記載のエレベータのドアパネル。
【請求項９】
前記固定部材を複数備え、
複数の前記固定部材の一つは、前記断熱部材の一端側を保持し、
複数の前記固定部材の他の一つは、前記断熱部材の他端側を保持する、請求項６から８のいずれか１項に記載のエレベータのドアパネル。
【手続補正書】
【提出日】平成30年2月8日(2018.2.8)
【手続補正１】
【補正対象書類名】特許請求の範囲
【補正対象項目名】全文
【補正方法】変更
【補正の内容】
【特許請求の範囲】
【請求項１】
表板と、
断熱部材と、
補強部材と、を備え、
前記表板は、周縁部の端部を前記表板の裏面の方向に折り曲げた、複数の折り曲げ部を有し、
前記補強部材は、前記表板の裏面との間に空間を形成して、前記複数の折り曲げ部のみに接続され、
前記断熱部材は、前記空間において、前記補強部材との間に、前記空間の一部を形成した状態で、前記裏面に当接して固定される、エレベータのドアパネル。
【請求項２】
前記断熱部材は、前記補強部材と互いに接触しない状態で、前記裏面に固定される、
請求項１に記載のエレベータのドアパネル。
【請求項３】
前記補強部材は、水平面における断面が、凸部と複数の鍔部を有する形状に形成され、
前記補強部材は、前記複数の鍔部により、前記複数の折り曲げ部に固定され、
前記凸部の頂部は、前記断熱部材を押圧して、前記断熱部材を前記裏面に当接させる、
請求項１に記載のエレベータのドアパネル。
【請求項４】
複数の前記凸部を有する、請求項３に記載のエレベータのドアパネル。
【請求項５】
前記断熱部材は、前記表板の前記裏面において、前記複数の折り曲げ部の内側に配置される、請求項１に記載のエレベータのドアパネル。
【請求項６】
前記断熱部材を取り付ける固定部材を有し、
前記固定部材は、前記表板の前記裏面において、前記断熱部材を前記裏面に当接させて保持する部位と、
前記折り曲げ部に固定される部位と、を有する、請求項５に記載のエレベータのドアパネル。
【請求項７】
前記固定部材は、前記表板に固定された状態の水平方向の断面において、Ｌ字を形成する第１の板状部及び第２の板状部と、
前記断面において、前記第１の板状部の端部から中央側に一定距離、離間した位置に一端側が固定され、他端側が、前記断面において、前記第２の板状部の延出方向と反対方向であって、前記第１の板状部に対し垂直な方向に延出する第３の板状部と、を備え、
前記固定部材は、
前記第１の板状部と前記第３の板状部により、前記断熱部材の端部を保持し、
前記第２の板状部により、前記表板に固定される、請求項６に記載のエレベータのドアパネル。
【請求項８】
前記固定部材を複数備え、
複数の前記固定部材の一つは、前記断熱部材の一端側を保持し、
複数の前記固定部材の他の一つは、前記断熱部材の他端側を保持する、請求項６または７に記載のエレベータのドアパネル。
【手続補正書】
【提出日】平成30年3月8日(2018.3.8)
【手続補正１】
【補正対象書類名】特許請求の範囲
【補正対象項目名】全文
【補正方法】変更
【補正の内容】
【特許請求の範囲】
【請求項１】
表板と、
断熱部材と、
補強部材と、を備え、
前記補強部材は、前記表板の裏面との間に空間を形成して、前記表板の周縁部に接続され、
前記断熱部材は、前記空間において、前記補強部材との間に、前記空間の一部を形成した状態で、前記裏面に当接して固定され、
前記補強部材は、水平面における断面が、凸部と複数の鍔部を有する形状に形成され、
前記補強部材は、前記複数の鍔部により、前記表板の前記周縁部に固定され、
前記凸部の頂部は、前記断熱部材を押圧して、前記断熱部材を前記裏面に当接させる、
エレベータのドアパネル。
【請求項２】
複数の前記凸部を有する、請求項１に記載のエレベータのドアパネル。
【請求項３】
前記表板の前記周縁部は、端部を前記表板の裏面の方向に折り曲げた、複数の折り曲げ部を有し、
前記断熱部材は、前記表板の前記裏面において、前記複数の折り曲げ部の内側に配置され、
前記補強部材は、前記複数の折り曲げ部に接続される、請求項１に記載のエレベータのドアパネル。
【請求項４】
前記断熱部材を取り付ける固定部材を有し、
前記固定部材は、前記表板の前記裏面において、前記断熱部材を前記裏面に当接させて保持する部位と、
前記折り曲げ部に固定される部位と、を有する、請求項３に記載のエレベータのドアパネル。
【請求項５】
前記断熱部材を取り付ける固定部材を有し、
前記固定部材は、前記表板の前記裏面において、前記断熱部材を前記裏面に当接させて保持する部位と、
前記表板の前記周縁部に固定される部位と、を有する、請求項１に記載のエレベータのドアパネル。
【請求項６】
前記固定部材は、前記表板に固定された状態の水平方向の断面において、Ｌ字を形成する第１の板状部及び第２の板状部と、
前記断面において、前記第１の板状部の端部から中央側に一定距離、離間した位置に一端側が固定され、他端側が、前記断面において、前記第２の板状部の延出方向と反対方向であって、前記第１の板状部に対し垂直な方向に延出する第３の板状部と、を備え、
前記固定部材は、
前記第１の板状部と前記第３の板状部により、前記断熱部材の端部を保持し、
前記第２の板状部により、前記表板に固定される、請求項４または５に記載のエレベータのドアパネル。
【請求項７】
前記固定部材を複数備え、
複数の前記固定部材の一つは、前記断熱部材の一端側を保持し、
複数の前記固定部材の他の一つは、前記断熱部材の他端側を保持する、請求項４から６のいずれか１項に記載のエレベータのドアパネル。
【国際調査報告】
2018011921.tif 000010
2018011921.tif 000011
2018011921.tif 000012
2018011921.tif 000013